(57)【要約】【課題】  所定の表示順序に従って表示手段に画像データを表示することで、ユーザが画像データを選択するのに要する時間を短くし、稼働率の向上を図る。【解決手段】  蓄積部１１に蓄積された複数の画像データに対して所定条件に従って順位を付与するステップと、所定順位が付与された複数の画像データを、付与された順位に従って表示部３に表示するステップと、表示部３に表示された画像データを選択手段によって選択するステップと、選択手段によって選択された画像データを出力するステップとを有する。【選択図】  図４
2005352606.tif 000002
【特許請求の範囲】
【請求項１】
複数の画像データを蓄積する蓄積手段と、
上記蓄積手段に蓄積された画像データを表示する表示手段と、
上記表示手段に表示された複数の画像データの中から所定の画像データを選択する選択手段と、
上記選択手段により選択された画像データを出力する出力手段と、
上記蓄積手段に蓄積された画像データを所定条件に従って順位を付与して付与した順位で表示する表示制御手段とを備える画像表示装置。
【請求項２】
更に、蓄積手段には、上記各画像データに関連づけられた付随データが格納されて、上記制御手段は、上記画像データに、上記付随データを参照して上記所定条件に従った順位を付与する請求項１記載の画像表示装置。
【請求項３】
更に、入力された検索条件データに応じて、上記付随データを参照して上記画像データの検索を行う検索手段を備える請求項２記載の画像表示装置。
【請求項４】
上記付随データは、所定期間内のおける上記各画像データの出力回数データを含む請求項１記載の画像表示装置。
【請求項５】
上記付随データは、所定期間内における上記各画像データの選択回数データを含む請求項１記載の画像表示装置。
【請求項６】
上記出力手段は、印刷手段である請求項１記載の画像表示装置。
【請求項７】
更に、所定金額データが入力され課金処理を行う課金処理手段を備え、
上記課金処理手段は、所定金額の入金を確認したとき、上記出力手段からの画像データの出力を許可する請求項１記載の画像表示装置。
【請求項８】
蓄積手段に蓄積された複数の画像データに対して所定条件に従って順位を付与するステップと、
上記所定順位が付与された複数の画像データを、付与された順位に従って表示手段に表示するステップと、
上記表示手段に表示された画像データを選択手段によって選択するステップと、
上記選択手段によって選択された画像データを出力するステップとを有する画像表示方法。
【請求項９】
上記複数の画像データのそれぞれには、付随データが関連づけられている請求項８記載の画像表示方法。
【請求項１０】
入力された検索条件データに応じて、上記付随データを参照して上記画像データの検索を行うステップを有する請求項９記載の画像表示方法。
【請求項１１】
上記付随データは、所定期間内のおける上記各画像データの出力回数データを含む請求項８記載の画像表示方法。
【請求項１２】
上記付随データは、所定期間内における上記各画像データの選択回数データを含む請求項８記載の画像表示方法。
【請求項１３】
上記データを出力するステップは、選択された画像データを印刷するステップである請求項８記載の画像表示方法。
【請求項１４】
更に、課金処理手段が、所定金額の入金を確認したとき、上記出力手段からの画像データの出力を許可するステップを有する請求項８記載の画像表示方法。
【請求項１５】
コンピュータにより実行可能なコンピュータプログラムをあって、
上記コンピュータプログラムは、蓄積手段に蓄積された複数の画像データに対して所定条件に従って順位を付与するステップと、
上記所定順位が付与された複数の画像データを、付与された順位に従って表示手段に表示するステップと、
上記表示手段に表示された画像データを選択手段によって選択するステップと、
上記選択手段によって選択された画像データを出力するステップとを有するコンピュータプログラム。
【請求項１６】
コンピュータにより実行可能なコンピュータプログラムが記録された記録媒体であって、
上記コンピュータプログラムは、蓄積手段に蓄積された複数の画像データに対して所定条件に従って順位を付与するステップと、
上記所定順位が付与された複数の画像データを、付与された順位に従って表示手段に表示するステップと、
上記表示手段に表示された画像データを選択手段によって選択するステップと、
上記選択手段によって選択された画像データを出力するステップとを有する記録媒体。
【発明の詳細な説明】
【技術分野】
【０００１】
本発明は、写真等の画像データを所定条件に従って表示する画像表示装置、画像表示方法、コンピュータプログラム及び記録媒体に関する。
【背景技術】
【０００２】
従来、画像データを印刷することができるプリント自動サービス装置は、観光地等に設置され、データを蓄積する蓄積手段に、その設置された観光地に関連した複数の画像データが格納されている。そして、所定金額が投入されると、プリント自動サービス装置は、格納した複数の画像データを表示手段に表示して、ユーザが選択した画像データを、ポストカード等に印刷して出力する。
【０００３】
この種のプリント自動サービス装置は、蓄積手段により多くの画像データを蓄積しておいた方が、ユーザの画像選択の幅が広がり便利である。その一方で、蓄積手段に蓄積された画像データが多い場合、表示手段に表示する画像データも多くなり、ユーザが所望の画像データを選択するためにより多くの時間が必要となってしまう。一人のプリント自動サービス装置の占有時間が長くなると、プリント自動サービス装置の稼働率が低下してしまう。
【０００４】
また、蓄積手段に多くの画像データが格納されている場合、人気のある画像データと人気の無い画像データが発生する。プリント自動サービス装置の管理者は、画像データの人気に応じて画像データを入れ替える必要がある。
【０００５】
【特許文献１】特開２００４−３８８７５
【特許文献２】特開２００３−３０２８７
【発明の開示】
【発明が解決しようとする課題】
【０００６】
本発明は、以上のような問題点に鑑みてなされたものであり、所定条件に従って画像データの表示順序を決め、この順序に従って表示手段に画像データを表示することで、ユーザが画像データを選択するのに要する時間を短くし、稼働率の向上を図ることができる画像表示装置、画像表示方法、コンピュータプログラム及び記録媒体を提供することを目的とする。
【０００７】
また、本発明は、蓄積手段に蓄積された画像データの人気等を管理者が容易に確認することができる画像表示装置、画像表示方法、コンピュータプログラム及び記録媒体を提供することを目的とする。
【課題を解決するための手段】
【０００８】
本発明に係る画像表示装置は、複数の画像データを蓄積する蓄積手段と、上記蓄積手段に蓄積された画像データを表示する表示手段と、上記表示手段に表示された複数の画像データの中から所定の画像データを選択する選択手段と、上記選択手段により選択された画像データを出力する出力手段と、上記蓄積手段に蓄積された画像データを所定条件に従って順位を付与して付与した順位で表示する表示制御手段とを備える。
【０００９】
本発明に係る画像表示方法は、蓄積手段に蓄積された複数の画像データに対して所定条件に従って順位を付与するステップと、上記所定順位が付与された複数の画像データを、付与された順位に従って表示手段に表示するステップと、上記表示手段に表示された画像データを選択手段によって選択するステップと、上記選択手段によって選択された画像データを出力するステップとを有する。
【００１０】
本発明は、ハードウェアやソフトウェアによって実現可能である。すなわち、本発明に係るコンピュータプログラムは、蓄積手段に蓄積された複数の画像データに対して所定条件に従って順位を付与するステップと、上記所定順位が付与された複数の画像データを、付与された順位に従って表示手段に表示するステップと、上記表示手段に表示された画像データを選択手段によって選択するステップと、上記選択手段によって選択された画像データを出力するステップとを有する。このコンピュータプログラムは、光ディスク、光磁気ディスク、磁気ディスク、ＩＣカード等の記録媒体によって又はインターネット等のネットワークを介して拡布することができる。
【発明の効果】
【００１１】
本発明によれば、蓄積手段に蓄積された複数の画像データに対して所定条件に従って順位を付与し、所定順位が付与された複数の画像データを、付与された順位に従って表示手段に表示することから、ユーザが画像データを選択するのに要する時間を短くし、稼働率の向上を図ることができる。
【発明を実施するための最良の形態】
【００１２】
以下、本発明を適用した自動プリントサービス装置を図面を参照して説明する。
【００１３】
図１に示す、本発明を適用した自動プリントサービス装置１は、例えば観光地、コンサート会場等に設置されるキオスク端末である。この自動プリントサービス装置１は、図１に示すように、外筐を構成する装置本体２を有し、この装置本体２には、各種操作ボタンや記録媒体に記録された画像データを表示する表示操作部３と、画像データが記録された記録媒体が挿入される記録メディア挿入口４と、印刷された写真が排出される取出口５と、所定のコインが投入される課金処理部６と、ユーザ等を撮像するカメラ７と、可聴音を放音するスピーカ８と、画像データを印刷するプリンタ１０とが設けられている。
【００１４】
表示操作部３は、例えば板状のセンサ部を備えたタブレットで構成され、表示部と操作部の機能を備えている。この表示操作部３には、装置本体２に内蔵されたハードディスク等の蓄積部に蓄積された複数の画像データが表示される。また、表示操作部３には、表示された画像データを選択する選択ボタン、選択した画像データを印刷する印刷ボタン等が表示される。表示操作部３は、表示された各種ボタンが押されることによって、これを検出し、操作信号を発生する。なお、表示操作部３に代わって、操作ボタン等を押しボタン等で構成し、押しボタン等で構成された操作部を、装置本体２の別の位置に設け、この表示操作部３が設けられる位置には、単にＬＣＤ（Liquid Crystal Display）やＣＲＴ（Cathode Ray Tube）で構成された表示部を設けるようにしても良い。
【００１５】
記録メディア挿入口４は、記録メディア９の種類に応じて複数設けられている。記録メディア挿入口４の内部には、挿入された記録メディア９が装着される装着部が設けられていると共に、装着部に装着された記録媒体から記録メディア９に記録されている画像データを読み出す読出部１６が設けられている。記録メディア挿入口４は、装置本体２が対応する記録メディア９の種類が１種類であるときには一つとなる。また、この装置本体２に対応する記録媒体としては、各種ＩＣカード、光ディスク、ディスクカートリッジ等がある。ここで、記録メディア挿入口４に挿入される記録メディア９は、例えば管理者が管理する記録媒体であり、装置本体２に内蔵されたハードディスク等の蓄積部に蓄積する画像データが記録されている。管理者は、着脱可能な記録メディア９を用いることで、新規な画像データを蓄積部に蓄積することができると共に、例えば人気の無い画像データと新たな画像データとを交換することができる。
【００１６】
なお、この記録メディア９は、ユーザが所有するものであって、ユーザが所有する画像データが記録されたものであっても良い。この場合、ユーザは、所有する記録メディア９に記録された画像データをポストカード等に印刷することができるようになる。
【００１７】
取出口５は、装置本体２に内蔵されたプリンタ１０から排出された画像データが印刷された写真が排出される。ここで、プリンタ１０は、サーマルヘッドを用いた熱昇華型のプリンタやインクジェット型のプリンタであり、ユーザによって選択された画像データを所定の用紙に印刷する。また、プリンタ１０は、Ｌサイズ、ＫＧサイズ、葉書サイズ等の用紙が備えられている。
【００１８】
課金処理部６は、コインメック機構を有し、金銭的処理を行う。例えば、画像データを印刷する際の金額等が設定されており、コイン投入口より投入されたコインの金額等を検出し、投入金額が所定金額以上であるとき、印刷を許可する。
【００１９】
カメラ７は、例えば（Charge-Coupled Devices）、ＣＭＯＳ（Complementary Metal-Oxide Semiconductor）センサ等の撮像素子を備えたディジタルカメラであり、正面に立ったユーザを撮像する。カメラ７が撮像したユーザの顔写真等の画像データは、例えば、ハードディスク等の蓄積部に蓄積された画像データと合成され印刷される。
【００２０】
以上のような自動プリントサービス装置１の回路構成について図２を参照して説明する。図２に示すように、この自動プリントサービス装置１は、複数の画像データやアプリケーションプログラムが蓄積されるハードディスク等で構成された蓄積部１１と、ＢＩＯＳ（Basic Input Output System）等が格納されたＲＯＭ（Read Only Memory）１２と、アプリケーションプログラム等がロードされるＲＡＭ（Random Access Memory）１３と、記録メディア挿入口４に挿入された記録メディア９を読み出す読出部１４と、全体の動作を制御する制御部となるＣＰＵ（Central Processing Unit）１５とを備え、これらがバス１６を介して接続されている。
【００２１】
ここで、蓄積部１１は、プリント自動サービス装置１の設置場所に関連した画像データが複数保存されている。例えば、蓄積部１１には、プリント自動サービス装置１が観光地に設置されているとき、その観光地に関連した四季折々の風景写真等が記録されている。また、アーティストのコンサート会場に設置されているとき、そのアーティストに関連する写真等が記録されている。蓄積部１１に保存される画像データは、記録メディア挿入口４に挿入された記録メディア９から蓄積部１１に保存することができるほか、図示しないがネットワークを介して管理センタから画像データを送信して蓄積部１１に保存することができる。また、蓄積部１１には、画像データと共に、蓄積する画像データを管理するためのデータベースが構築されている。
【００２２】
図３は、画像データを管理するためのデータベースを説明する図である。ここでは、蓄積部１１に、風景写真が１００枚記憶されており、風景写真の画像データには、Ｎｏ.１〜Ｎｏ.１００の番号が付けられ、画像に付随する情報がテーブルとしてデータベース化されている。このデータベースは、例えば次のようなレコードで構成されている。
レコード[1]：画像番号を示す。
レコード[2]：蓄積部１１に保存された日を示す。
レコード[3]：画像タイトルを示す。
レコード[4]：検索キーワードとなる画像の特徴を示す単語を示す。
レコード[5]：直近１年間の１月の印刷総枚数を示す。
レコード[6]：直近１年間の２月の印刷総枚数を示す。
・・・・・・・・・・・・
レコード[16]：直近１年間の１２月の印刷総枚数を示す。
レコード[17]：直近６ヶ月間の印刷総枚数を示す。
レコード[18]：直近３ヶ月間の印刷総枚数を示す。
レコード[19]：直近１ヶ月間の印刷総枚数を示す。
レコード[20]：画像データの季節を示す。
レコード[21]：・・・・・・（以下、他の情報が続く）
【００２３】
次に、自動プリントサービス装置１の全体の動作について図４を参照して説明する。
【００２４】
ステップＳ１において、待機状態にあるプリント自動サービス装置１のＣＰＵ１５は、表示操作部３に、図５に示すように、デフォルトの画面を表示する。この画面は、図５に示すように、画像表示フレーム２１が設けられており、この画像表示フレーム２１内には、蓄積部１１に保存されている全画像データ２１ａが人気順でサムネイル表示されている。具体的に、ＣＰＵ１５は、管理者によって例えばレコード[5]が選択されたとき、画像表示フレーム２１に、直近１年間の１月の印刷総枚数に従って１位から順に順位２１ｂを付与し、この順位２１ｂに従って画像データ２１ａをサムネイル表示する。また、例えば、管理者によって例えばレコード[19]が選択されたとき、画像表示フレーム２１に、直近１ヶ月間の印刷総枚数に従って１位から順に順位２１ｂを付与し、この順位に従って画像データ２１ａをサムネイル表示する。各画像データ２１ａの近傍には、各画像データの順位２１ｂが表示される。更に、画像表示フレーム２１には、画像データを１ページに表示しきれないとき、次ページに進むためのボタン２１ｃや前ページに戻るためのボタン２１ｄが表示されている。
【００２５】
以上のように、プリント自動サービス装置１では、表示操作部３に、印刷総枚数を人気度に換算し、人気度に応じた順位を付与し画像データをサムネイル表示することで、ユーザが画像データを選択する際の選択時間の短縮を図ることができ、稼働率の向上を図ることができる。
【００２６】
なお、デフォルト画面には、更に、表示形態を選択するための表示形態選択フレーム２２や画像データを検索するときの検索フレーム２３が設けられている。表示形態選択フレーム２２には、画像データの表示形態を選択するための複数のボタンが表示されており、図５では、画像データをデフォルトの人気順に表示するためのボタン２２ａ、画像データを季節別に表示するためのボタン２２ｂ、画像データをランダムに表示するためのボタン２２ｃ等が表示される。ＣＰＵ１５は、例えば画像データを季節別に表示するためのボタン２２ｂが押されたとき、データベースのレコード[20]を参照して、画像表示フレーム２１に画像データをそれぞれの季節の写真を人気順にサムネイル表示する。なお、この際、ＣＰＵ１５は、画像データは、ランダムに表示するようにしても良い。また、検索フレーム２３には、検索ボタン２３ａが表示されており、ＣＰＵ１５は、検索ボタン２３ａが押されたとき、図示しないが、キーワード入力欄を表示し、レコード[4]の検索キーワードとなる画像の特徴を示す単語の中に、入力されたキーワードがあるかどうかを判断して検索を行う。
【００２７】
ステップＳ２において、プリント自動サービス装置１のＣＰＵ１５は、課金処理部６に所定金額のコインが投入されたかを判断し、所定金額がユーザによって投入されたとき、ステップＳ３に進み、所定金額が投入されなかったとき、不足金額の投入等を促す警告表示等を行った後ステップＳ２を繰り返す。
【００２８】
ステップＳ３において、プリント自動サービス装置１のＣＰＵ１５は、表示操作部３に表示されたデフォルト画面の表示形態選択フレーム２２のボタン２２ａ〜２２ｃ等が押され、ユーザによって表示形態の変更操作がされたかどうかを判断し、表示形態の変更操作がされたとき、ステップＳ４に進み、この操作がされなかったときステップＳ５に進む。  ステップＳ４において、プリント自動サービス装置１のＣＰＵ１５は、指定された表示形態に画像表示フレーム２１の表示を変更し、ステップＳ５に進む。例えば、ステップＳ３において、画像データを季節別に表示するためのボタン２２ｂが押されたとき、ＣＰＵ１５は、ステップＳ４において、蓄積部１１のデータベースにアクセスし、画像データの季節を示すレコード[20]を参照して、ユーザによって指定された季節の画像データを、画像表示フレーム２１に人気順にサムネイル表示する。また、ＣＰＵ１５は、検索ボタン２３ａが押されたとき、図示しないが、キーワード入力欄を表示し、レコード[4]の検索キーワードとなる画像の特徴を示す単語の中に、入力されたキーワードがあるかどうかを判断して検索を行い、入力されたキーワードに合致した画像データを画像表示フレーム２１に人気順にサムネイル表示する。
【００２９】
ステップＳ５において、プリント自動サービス装置１のＣＰＵ１５は、次ページに進むためのボタン２１ｃや前ページに戻るためのボタン２１ｄが押されたかを判断し、ページ変更の操作があったとき、画像表示フレーム２１に表示されているページを次ページ又は前ページの画像データに変更する。また、ＣＰＵ１５は、ページ変更の操作が無かったとき、現在のページを表示し続ける。
【００３０】
ステップＳ６において、プリント自動サービス装置１のＣＰＵ１５は、ユーザによって、画像表示フレーム２１内の画像データ２１ａが押されて、少なくとも一の画像データ２１ａが選択されたかを判断し、選択されているとき、ステップＳ７に進む、画像データ２１ａが選択されていないとき、選択をユーザに促す警告表示等を行った後、ステップＳ６を繰り返す。
【００３１】
ステップＳ７において、ＣＰＵ１５は、選択した画像データを印刷する用紙が選択されユーザによって印刷実行操作がされたかどうかを判断し、印刷実行操作がされたとき、プリンタ１０を駆動し、印刷を行う。また、ＣＰＵ１５は、印刷実行操作が行われなかったとき、印刷実行操作をユーザに促す警告表示等を行った後、ステップＳ７を繰り返す。かくして、ユーザが選択した画像データは、プリンタ１０で印刷されると、取出口５より排出される。
【００３２】
ステップＳ８において、ＣＰＵ１５は、データベース中の印刷枚数に関するレコードを更新する。上述の例で言えば、ＣＰＵ１５は、レコード[5]やレコード[6]の月間の印刷枚数やレコード[16]、レコード[17]、レコード[18]、レコード[19]等の直近の数ヶ月間の印刷枚数を更新する。なお、データベースの印刷枚数に関するレコードを画像データの選択回数とし、ＣＰＵ１５は、印刷回数ではくユーザによって選択された選択回数としても良い。実際に印刷されなくてもユーザにより選択された画像データは、ユーザにとって関心の高い画像と言えるからである。
【００３３】
以上の例では、蓄積部１１に保存されている画像データをユーザが選択し選択した画像データを印刷する場合を説明したが、この他に、カメラ７で撮影したユーザの画像データを、ユーザが選択した蓄積部１１の画像データと合成してプリンタ１０で印刷するようにしてよく、また、ユーザが持参した記録メディア９に記録されている画像データと蓄積部１１のユーザが選択した画像データとを合成してプリンタ１０で印刷するようにしても良く、更に、カメラ７で撮影した画像データ又はユーザが記録メディア９で持参した画像データを蓄積部１１のユーザが選択した画像データと合成し、合成した画像データをプリンタ１０で印刷するのではなく、ユーザが持参した記録メディア挿入口４に挿入されている記録メディア９に保存するようにしても良い。画像データを記録メディア９に保存したときには、印刷は行われていないが印刷出力と同じようにユーザに対して画像データを販売したことになることから、データベースの印刷枚数に関するレコードを更新するようにする。
【００３４】
また、ＣＰＵ１５は、各画像データの人気度に応じて課金処理部６の値段を可変するようにしても良い。これを、図６を参照して説明する。プリント自動サービス装置１のＣＰＵ１５は、ステップＳ１１において、データベースの印刷枚数に関するレコードの何れか、すなわち管理者によって設定された印刷枚数に関するレコードの印刷枚数が所定枚数Ａに達したかを判断する。この所定枚数Ａは、蓄積部１１の画像データの単価を値上げする際の閾値であり、例えば１００枚である。そして、ＣＰＵ１５は、所定枚数Ａを超えたとき、ステップＳ１２に進み、所定枚数Ａを超えた画像データの単価を値上げする。例えば、基本となる単価が５０円であるとき、ＣＰＵ１５は、所定枚数Ａを超えた画像データの単価を５０円から６０円に値上げし、課金処理部６の設定を変更する。また、ＣＰＵ１５は、所定枚数Ａを超えていないとき、ステップＳ１３に進み、現在の料金を維持する。すなわち、５０円のままとする。
【００３５】
ステップＳ１４において、プリント自動サービス装置１のＣＰＵ１５は、データベースの印刷枚数に関するレコードの何れか、すなわち管理者によって設定された印刷枚数に関するレコードの印刷枚数が所定枚数Ｂに達したかを判断する。この所定枚数Ｂは、蓄積部１１の画像データの単価を値下げする際の閾値であり、例えば１０枚である。そして、ＣＰＵ１５は、所定枚数Ｂに満たないとき、ステップＳ１５に進み、所定枚数Ｂに満たない画像データの単価を値下げする。上述の例に従えば、ＣＰＵ１５は、所定枚数Ｂに満たないとき、その画像データの単価を５０円から４０円に値下げし、課金処理部６の設定を変更する。また、ＣＰＵ１５は、所定枚数Ｂを超えているとき、ステップＳ１６に進み、現在の料金を維持する。すなわち、５０円のままとする。
【００３６】
以上のように構成されたプリント自動サービス装置１によれば、ユーザが所望の画像データを選択するとき、表示操作部３の画像表示フレーム２１には、人気順にサムネイル表示されていることから、ユーザが選択に要する時間を短縮することができ、プリント自動サービス装置１の稼働率を向上させることができる。また、ユーザが画像表示フレーム２１の表示形態を季節別、キーワード検索等に変更したときであっても、画像表示フレーム２１には、季節別で人気順に表示されることから、ユーザが選択に要する時間を短縮することができる。
【００３７】
また、このプリント自動サービス装置１では、データベースによって各画像データの所定期間の印刷枚数を詳細に管理することができることから、蓄積部１１に保存しておく画像データの管理を容易に行うことができる。例えば、印刷枚数の少ない、すなわち人気の無い画像データを新たな画像データに入れ替える際の判断を容易に行うことができる。また、印刷枚数の多い、すなわち人気の高い画像データの単価を上げ、印刷枚数の少ない、すなわち人気の低い画像データの単価を下げる等の制御を行うことで、利益率の向上を図ることができる。
【図面の簡単な説明】
【００３８】
【図１】本発明を適用した自動サービス装置の斜視図である。
【図２】上記自動サービス装置のブロック図である。
【図３】データベースの構成を示す図である。
【図４】ユーザが画像データを選択して印刷するまでの一連の手順を示すフローチャートである。
【図５】プリント自動サービス装置の表示操作部に表示されるデフォルト画面を示す図である。
【図６】画像データの単価の変更手順を示すフローチャートである。
【符号の説明】
【００３９】
１  自動プリントサービス装置、２  装置本体、３  表示操作部、４  記録メディア挿入口、５  取出口、６  課金処理部、７  カメラ、８  スピーカ、９  記録メディア、１０  プリンタ、１１  蓄積部、１２  ＲＯＭ、１３  ＲＡＭ、１４  読出部、１５  ＣＰＵ、１６  バス、２１  画像表示フレーム、２１ａ  画像データ、２１ｂ  順位、２２  表示形態選択フレーム、２３  検索フレーム
【図１】
2005352606.tif 000003
【図２】
2005352606.tif 000004
【図３】
2005352606.tif 000005
【図４】
2005352606.tif 000006
【図５】
2005352606.tif 000007
【図６】
2005352606.tif 000008